(57)【要約】【課題】  ディスク装置には改良や付加的な構成を加えることなく、ディスクトレーの開閉移動と、装填位置から引き出されたディスクトレーが収容される凹所を開閉するシャッターの駆動との連動動作を実現した電子機器及びシャッターの制御方法を提供すること。【解決手段】  ディスク装置９３の本体が収容される本体収容部９６と、ディスク装置９３の本体から出されたディスクトレー２０が収容される凹所２１とが設けられた筐体と、凹所２１に設けられ、ディスク装置９３の本体から出されたディスクトレー２０を検出するセンサ１１２、１１３と、センサ１１２、１１３の検出結果に基づいて、凹所２１を覆う閉位置と凹所２１を露出させる開位置との間を、ディスクトレー２０の移動動作に連動して移動されるシャッター６とを備える。【選択図】        図７
2005310263.tif 000002
【特許請求の範囲】
【請求項１】
本体と、前記本体の内部に装填される閉位置と前記本体の内部から出される開位置との間を往復移動自在なディスクトレーとを有するディスク装置と、
前記ディスク装置の前記本体が収容される本体収容部と、前記本体の内部から出された前記ディスクトレーが収容される凹所とが設けられた筐体と、
前記凹所に設けられ、前記本体の内部から出された前記ディスクトレーを検出するセンサと、
前記センサの検出結果に基づいて、前記凹所を覆う閉位置と前記凹所を露出させる開位置との間を、前記ディスクトレーの移動動作に連動して移動されるシャッターと
を備えることを特徴とする電子機器。
【請求項２】
前記センサは非接触型センサである
ことを特徴とする請求項１に記載の電子機器。
【請求項３】
前記センサはフォトカプラセンサである
ことを特徴とする請求項２に記載の電子機器。
【請求項４】
前記フォトカプラセンサは前記ディスクトレーの側部に対向して設けられ、前記側部に対する反射光を検出する
ことを特徴とする請求項３に記載の電子機器。
【請求項５】
前記センサは、前記ディスクトレーの前記閉位置から前記開位置への移動開始を検出する第１のセンサと、前記ディスクトレーの前記開位置から前記閉位置への移動開始を検出する第２のセンサの少なくとも２つのセンサを備える
ことを特徴とする請求項１に記載の電子機器。
【請求項６】
電子機器筐体の本体収容部に収容されたディスク装置本体の内部に装填された閉位置から前記筐体に設けられた凹所に出される開位置までディスクトレーを動作させる手順と、
前記凹所に設けられたセンサによって前記ディスクトレーの前記閉位置から前記開位置への移動を検出する手順と、
前記センサによる、前記ディスクトレーの前記閉位置から前記開位置への移動検出出力を受けて、前記凹所を覆う閉位置から前記凹所を露出させる開位置へとシャッターを移動させる手順と、
前記ディスクトレーを前記開位置から前記閉位置へと動作させる手順と、
前記凹所に設けられたセンサによって前記ディスクトレーの前記開位置から前記閉位置への移動を検出する手順と、
前記センサによる、前記ディスクトレーの前記開位置から前記閉位置への移動検出出力を受けて、前記凹所を露出させる開位置から前記凹所を覆う閉位置へと前記シャッターを移動させる手順と
を有することを特徴とするシャッターの制御方法。
【請求項７】
前記ディスクトレーが前記閉位置から前記開位置への移動を開始すると、前記シャッターの前記閉位置から前記開位置への移動を開始させ、
前記ディスクトレーが前記開位置から前記閉位置への移動を開始すると、前記シャッターの前記開位置から前記閉位置への移動を開始させる
ことを特徴とする請求項６に記載のシャッターの制御方法。
【請求項８】
前記シャッターが前記開位置から前記閉位置へと移動している際に所定時間以上経過すると、前記シャッターを前記開位置へと戻す
ことを特徴とする請求項６に記載のシャッターの制御方法。
【発明の詳細な説明】
【技術分野】
【０００１】
本発明は、ディスク装置と、そのディスク装置から引き出されたディスクトレーを収容するための凹所を開閉するためのシャッターとを備えた電子機器及びシャッターの制御方法に関し、詳しくは、ディスクトレーの動作とシャッターの動作とを連動させた電子機器及びシャッターの制御方法に関する。
【背景技術】
【０００２】
電子機器として例えばタワー型パーソナルコンピュータの多くはディスク装置を備えている。例えば特許文献１参照。そのディスク装置に対するディスク状記録媒体の装填あるいは取り出しは、ディスク装置本体に対してスライド移動にて出し入れされるディスクトレーを介して行われる。
【特許文献１】特開平１１−５３８７６号公報
【発明の開示】
【発明が解決しようとする課題】
【０００３】
通常、タワー型パーソナルコンピュータに具備されたディスク装置のディスクトレーは筐体の外部に飛び出すようにしてディスク装置本体から引き出されるが、これではタワー型パーソナルコンピュータを設置するに際してはそのフットプリント以外にディスクトレーの飛び出しを許容するスペースも確保しなければならない。そこで、設置スペースの省スペース化を図る観点から、ディスク装置本体から引き出されたディスクトレーを収容するための凹所を筐体に設けて、ディスクトレーが筐体から飛び出さないようにすることが考えられる。
【０００４】
この場合に、上記凹所が露出されたままだと、ごみやほこり、その他異物が入り込んで電子機器の故障をまねくおそれがあるので、また見栄えもよくないことから、その凹所を開閉自在なシャッターを設けることが好ましい。
【０００５】
ディスクトレーに対してディスク状記録媒体を着脱するときには、ディスクトレーをディスク装置本体から凹所へと引き出し、かつその状態でシャッターが開けられて凹所及びそこに引き出されたディスクトレーが筐体外部に露出される必要があり、使用者はディスクトレーの引出し操作とシャッターを開ける操作との２つの操作を行う必要性が生じる。
【０００６】
そこで、ディスクトレーの引出しに連動して自動でシャッターが開くようにすれば使用者の操作としてはディスクトレーのイジェクトボタンを押す操作だけで済む。上記連動を実現する構成として、例えばイジェクトボタンの操作を電気的に検出して、この検出結果に基づいてシャッターを動作させる構成が考えられる。
【０００７】
しかし、それを実現するには、ディスク装置からの電気信号を取り出してシャッターの駆動系へと供給する必要があり、ディスク装置側の改良が強いられる。現在、ディスク装置はあらゆる電子機器に広く共通に使用できる汎用品として確立されており、そのディスク装置に手を加えるとなると余計な手間がかかりコストアップにもつながる。ディスク装置は既存のものをそのまま電子機器に組み込みたいという要請がある。
【０００８】
そこで、本発明は上述の問題に鑑みてなされ、その目的とするところは、ディスク装置には改良や付加的な構成を加えることなく、ディスクトレーの開閉移動と、装填位置から引き出されたディスクトレーが収容される凹所を開閉するシャッターの駆動との連動動作を実現した電子機器及びシャッターの制御方法を提供することにある。
【課題を解決するための手段】
【０００９】
本発明の電子機器は、本体と、この本体の内部に装填される閉位置と本体の内部から出される開位置との間を往復移動自在なディスクトレーとを有するディスク装置と、このディスク装置の本体が収容される本体収容部と、ディスク装置の本体の内部から出されたディスクトレーが収容される凹所とが設けられた筐体と、凹所に設けられ、ディスク装置の本体の内部から出されたディスクトレーを検出するセンサと、センサの検出結果に基づいて、凹所を覆う閉位置と凹所を露出させる開位置との間を、ディスクトレーの移動動作に連動して移動されるシャッターとを備えることを特徴としている。
【００１０】
また、本発明のシャッターの制御方法は、電子機器筐体の本体収容部に収容されたディスク装置本体の内部に装填された閉位置から筐体に設けられた凹所に出される開位置までディスクトレーを動作させる手順と、凹所に設けられたセンサによってディスクトレーの閉位置から開位置への移動を検出する手順と、センサによる、ディスクトレーの閉位置から開位置への移動検出出力を受けて、凹所を覆う閉位置から凹所を露出させる開位置へとシャッターを移動させる手順と、ディスクトレーを開位置から閉位置へと動作させる手順と、凹所に設けられたセンサによってディスクトレーの開位置から閉位置への移動を検出する手順と、センサによる、ディスクトレーの開位置から閉位置への移動検出出力を受けて、凹所を露出させる開位置から凹所を覆う閉位置へとシャッターを移動させる手順とを有することを特徴としている。
【００１１】
上記ディスク装置自体には何の改良や付加的な構成（例えばディスクトレーを動作させるイジェクトボタンの操作を電気的に検出する回路など）を加えることなく、単にディスクトレーの移動経路近傍に上記センサを設ける簡単な構成にて、ディスクトレーの動作と、シャッターの動作との連動を実現できる。また、その連動により、使用者がディスク装置を利用する際には、１つのボタン操作だけで済む。
【００１２】
また、上記センサを非接触型とすれば、そのセンサがディスクトレーに接触せず、ディスクトレーの移動の妨げにならない。また、非接触型センサであっても磁気センサを用いる場合には、例えば凹所に電流検出素子を設け、さらにディスクトレー側に磁性体を取り付ける必要があり手間がかかるが、フォトカプラを用いればそのフォトカプラを凹所に設けるだけでよくディスクトレーに何かを追加する必要がない。また、そのフォトカプラを、ディスクトレーの側部に対向して設ければ、ディスクトレー側部に対する反射光を検出するので、フォトカプラから出射された光がディスクトレーに装着されたディスク状記録媒体の記録面に照射されることを回避でき、ディスク状記録媒体の品質に影響を与えることがない。
【００１３】
上記センサは１つあれば、ディスクトレーの開閉、すなわち凹所にディスクトレーが存在するかどうかを検出することは可能であるが、第１のセンサをディスクトレーの引出口近傍に設けることでディスクトレーの開き始めを検出することができ、このディスクトレーが開き始めた動作に連動させて、シャッターも開き始めの動作を行わせることができ、両者の開き始めのタイミングを合わせることができる。また、第２のセンサを、閉まり始めの段階でディスクトレーが通過する位置に設けることでディスクトレーの閉まり始めを検出することができ、このディスクトレーが閉まり始めた動作に連動させて、シャッターも閉まり始めの動作を行わせることができ、両者の閉まり始めのタイミングを合わせることができる。
【００１４】
これにより、ディスクトレーとシャッターのどちらか一方の動作が停止してから他方が動き出す場合に比べ、両者の連動性を使用者に強調でき、使用者はシャッターの動きを視認することによってディスクトレーの動作を確認しやすくなる。例えば、ディスクトレー及びシャッターが共に閉位置にあるときに、シャッターが閉じたままの状態で先にディスクトレーが開いてしまうと、使用者はシャッターに遮られてディスクトレーの引出しを視認できずに、もう一度ディスクトレーを動作させるための押しボタンを押してしまうおそれがある。そうすると、開位置にあるディスクトレーはその押しボタンの操作により今度は閉位置へと動作されることになってしまう。逆に両者が開位置にある状態で、先にシャッターが閉まった後にディスクトレーが閉位置に移動される場合には、使用者はディスクトレーが確かに閉まったかどうかの視認が行えない。
【００１５】
また、シャッターが開位置から閉位置へと移動している際に所定時間以上経過してもシャッターが閉位置に至らない場合には、例えばシャッターが手などを挟んでいる場合が考えられ得るので、上記所定時間経過したら安全のために、シャッターを開く方向へ移動させて開位置へと戻すことが好ましい。
【発明の効果】
【００１６】
本発明の電子機器によれば、ディスク装置自体には何の改良や付加的な構成を加えることなく、単にディスクトレーの移動経路近傍に上記センサを設ける簡単な構成にて、ディスクトレーの動作と、シャッターの動作との連動を実現できる。この結果、コスト及び手間を低減できる。
【００１７】
本発明のシャッターの制御方法によれば、ディスク装置自体には何の改良や付加的な構成を加えることなく、ディスクトレーの動作と、シャッターの動作との連動を実現できる。この結果、コスト及び手間を低減できる。また、上記連動により、使用者がディスク装置を利用する際には、１つのボタン操作だけで済む。
【発明を実施するための最良の形態】
【００１８】
図１は本発明の実施形態に係る電子機器１の外観斜視図を示す。図２、図３はそれぞれ、電子機器１の正面図、上面図である。本実施形態では、電子機器１は、いわゆるタワー型パーソナルコンピュータの本体である。
【００１９】
電子機器１は、筐体２及び３が組み合わされなる直方体形状の外部筐体を有し、その外部筐体は台座８によって設置面上に支持される。
【００２０】
筐体２は、前板部２ａと、前板部２ａの縁部を囲むように設けられた上板部２ｂ、側板部２ｃ、２ｄとからなる箱型形状を呈している。前板部２ａには四角形状の開口２ｅが形成されている。開口２ｅは、前板部２ａの上半分ほどの領域であって側板部２ｄ寄りの箇所に形成されている。また、前板部２ａには、開口２ｅを開閉するためのシャッター６が設けられている。
【００２１】
開口２ｅの上縁部の近傍であって、上板部２ｂと前板部２ａとの角部には、各種押しボタン１１、１２、１３が配設されている。押しボタン１１と１２との間にはスペーサ１６が、押しボタン１２と１３との間にはスペーサ１７が設けられている。これらスペーサ１６、１７は押されても筐体内部に押し込まれず、押しボタンとしては機能しない。スペーサ１７には発光窓部１８が設けられている。
【００２２】
筐体２において下半分ほどの部分には板状の外装部材４が取り付けられている。外装部材４は、筐体２の前板部２ａの下半分を覆う前板部４ａと、筐体２の側板部２ｄの下方の領域を覆う側板部４ｄとからなる。
【００２３】
筐体３は、背板部と、この背板部の縁部を囲むように設けられた上板部３ｂ、側板部３ｃ、３ｄとからなる箱型形状を呈している。
【００２４】
上述した外部筐体は例えば樹脂材料からなり、その内部には、図５に示す内部筐体１４３が内蔵されている。内部筐体１４３は、例えば金属材料からなり、電子機器１の剛性を高める補強部材及び内蔵機器の取付部材として機能する。
【００２５】
内部筐体１４３は、背板部１７２と、この背板部１７２の縁部を囲むように設けられた上板部１４４と、側板部１４５、１４８、１４７と、底板部１４６とからなる箱型形状を呈している。
【００２６】
上板部１４４には吸気用開口１６７が多数の小孔として形成されている。側板部１４５には吸気用開口１５１が多数の小孔として形成されている。側板部１４７には吸気用開口１６６、１６２が多数の小孔として形成されている。
【００２７】
側板部１４８には排気用開口１５３、１５４が多数の小孔として形成されている。さらに、側板部１４８には、配線接続部である各種コネクタを露出させるための開口４３、４４、１４９が形成されている。
【００２８】
底板部１４６には吸気用開口１５５が多数の小孔として形成されている。また、底板部１４６には、吸気と内部筐体１４３の軽量化を図るための開口１５９、１６０、１６１が形成されている。さらに、底板部１４６には、内部筐体１４３内に配設されたチューナーの入力端子を露出させるための開口１５６、１５７、１５８が形成されている。
【００２９】
背板部１７２には、吸気と内部筐体１４３の軽量化を図るための開口１５２、１６５、１６４、１６３が形成されている。また、背板部１７２において、開口１６５が形成された領域は内部筐体１４３内に収容される内蔵機器であるハードディスク装置の取付領域であり、その領域には、図６に示すように複数のハードディスク装置を収容した枠体１２１が引っ掛けられるようにして着脱自在に取り付けられる４つの掛止部１６８が、背板部１７２の内面側に突出して設けられている。
【００３０】
内部筐体１４３の内部には、ハードディスク装置の他にも、光ディスク装置、マザーボード、チューナーボード、電源ユニットなどの各種内蔵機器が配設される。
【００３１】
内部筐体１４３において、外部筐体２の前板部２ａと向き合わされる部分には図６に示すように補助取付具９４が取り付けられる。
【００３２】
補助取付具９４は剛性の高い金属材料からなり、光ディスク装置の本体が収容される本体収容部９６と、その光ディスク装置の本体から引き出されたディスクトレーが収容される凹所２１を有する。
【００３３】
本体収容部９６の上方にはフック部１０３が設けられており、そのフック部１０３は、内部筐体１４３の上板部１４４と、その上板部１４４の前端縁部と略直角になるように設けられた帯板部１４４ａとの角部に引っ掛けられる。
【００３４】
本体収容部９６の左端縁部にはフランジ部１０１が設けられており、そのフランジ部１０１は、内部筐体１４３の側板部１４５の前端縁部と略直角になるように設けられた帯板部に例えばねじ止めされる。
【００３５】
凹所２１の右端縁部にはフランジ部１０２が設けられており、そのフランジ部１０２は、内部筐体１４３の側板部１４７の前端縁部と略直角になるように設けられた帯板部に例えばねじ止めされる。
【００３６】
図７に示すように、本体収容部９６に収容された光ディスク装置９３は、その本体の一側部に形成されたディスクトレー２０の引出口を凹所２１に臨ませている。
【００３７】
凹所２１において下方に位置する内壁部２１ａには、第１のセンサ１１２と第２のセンサ１１３が設けられている。ディスクトレー２０が光ディスク装置９３本体から凹所２１へと引き出されると、ディスクトレー２０の下端面は図１１に示すように凹所２１の内壁部２１ａとの間に間隙を形成して内壁部２１ａに対向される。
【００３８】
第１のセンサ１１２、第２のセンサ１１３は共に、発光部及び受光部を備えたフォトカプラセンサである。第１のセンサ１１２、第２のセンサ１１３は、ディスクトレー２０の移動方向に沿って配置され、第１のセンサ１１２は内壁部２１ａにおいてディスクトレー２０の引出口寄りの位置に配置され、第２のセンサ１１３は内壁部２１ａにおいて筐体２の側板部２ｄ寄りの位置に配置されている。
【００３９】
次に、シャッター６の動作について説明する。
【００４０】
シャッター６が開口２ｅを閉鎖して凹所２１を覆っている図８に示される閉状態で、外部筐体２の上板部２ｂと前板部２ａとの角部に配置された例えば押しボタン１１を押すと、その押しボタン１１の押動力は光ディスク装置９３に設けられた図示しないイジェクトボタンに伝達され、光ディスク装置９３の本体からディスクトレー２０が凹所２１へと引き出される。
【００４１】
ディスクトレー２０が光ディスク装置９３本体の引出口から出始めると、これは第１のセンサ１１２によって検出される。すなわち、第１のセンサ１１２から出射された光はディスクトレー２０の下端面に反射してこの反射光を第１のセンサ１１２が検出する。
【００４２】
この第１のセンサ１１２による検出を受けて、シャッター６も図９に示すよう開き始める。具体的には、シャッター６は例えば送りねじ機構によって図８に示す閉位置と、図１１に示す開位置との間を上下移動されるようになっており、第１のセンサ１１２がディスクトレー２０の開き始めを検出すると、その検出出力は、上記送りねじ機構の送りねじを回転させるモータを制御する制御部（例えば筐体内に配設された基板上に実装されている）に送られる。制御部はその信号を受けてモータを駆動させ、そのモータの駆動軸に連結された送りねじが回転されて、この送りねじに係合された送りナットが下降を開始する。この送りナットはシャッター６に連結され、したがってシャッター６はディスクトレー２０の開き始めの動作に連動して開き始める（図９参照）。
【００４３】
図１０に示すように、ディスクトレー２０が閉位置と開位置とのほぼ中間位置（図１０において凹所２１の左半分ほどの領域を覆う位置）まで引き出されると、シャッター６も閉位置と開位置とのほぼ中間位置（凹所２１の上半分ほどの領域を露出させる位置）に至る。
【００４４】
そして、図１１に示すように、ディスクトレー２０が完全に引き出された状態では、シャッター６は凹所２１の全領域を露出させる開位置へと移動され、その凹所２１に引き出されたディスクトレー２０は開口２ｅを介して筐体外部に露出される。これにより、ディスクトレー２０に対するディスク状記録媒体の着脱が行える。
【００４５】
なお、凹所２１の上方には、図１０に示すように、各種半導体メモリカードのスロット２２、２３、２４が設けられ、シャッター６が開くとそれらスロット２２、２３、２４に対する半導体メモリカード１１４ａ、１１４ｂ、１１４ｃ（図７参照）の挿脱も行える。
【００４６】
上記押しボタン１１を再び押すと、ディスクトレー２０が光ディスク装置９３の本体に装填される閉位置へと移動を開始し、これに連動してシャッター６も自動で閉まり始める。具体的には、ディスクトレー２０が光ディスク装置９３本体の引出口へと（図１１において左方へと）移動し始め、ディスクトレー２０の側部が第２のセンサ１１３と対向する位置から外れると、第２のセンサ１１２はディスクトレー２０下端面からの反射光を検出しなくなる。
【００４７】
これを受けて、シャッター６も閉じ始める。具体的には、第２のセンサ１１３がディスクトレー２０の閉じ始めを検出すると、その検出出力は、上記送りねじ機構の送りねじを回転させるモータを制御する制御部に送られ、制御部はその信号を受けてモータを駆動させ、そのモータの駆動軸に連結された送りねじが回転されて、この送りねじに係合された送りナットが上昇を開始する。この送りナットはシャッター６に連結され、したがってシャッター６はディスクトレー２０の閉じ始めの動作に連動して閉じ始める。
【００４８】
図１０に示すように、ディスクトレー２０が開位置と閉位置とのほぼ中間位置（図１０において凹所２１の左半分ほどの領域を覆う位置）まで移動されると、シャッター６も開位置と閉位置とのほぼ中間位置（凹所２１の下半分ほどの領域を覆う位置）に至る。
【００４９】
そして、ディスクトレー２０が光ディスク装置９３本体内に装填されると、シャッター６は図８に示すように開口２ｅを閉鎖し凹所２１の全領域を覆う。これにより、凹所２１にごみやほこり、その他異物が入り込むことを防げる。さらに、その凹所２１に設けられた各種半導体メモリカードのスロット２２、２３、２４にごみやほこり、その他異物が入り込むことも防げるまた、凹所２１は電子機器１の正面側に設けられているので、シャッター６は体裁板としても機能しシャッター６が凹所２１を覆うことで見栄えも損ねない。
【００５０】
また、光ディスク装置９３のディスクトレー２０の引出口が外部に露出していると、空冷用の吸気によってディスクトレー２０と引出口との隙間から塵やほこりが本体内に吸い込まれるおそれがあるが、本実施形態ではディスクトレー２０の引出口はシャッター６によって外部と遮断されるので、その引出口からの塵やほこりの吸い込みを防げる。これにより、光ディスク装置９３の高い信頼性を確保できる。
【００５１】
なお、ディスクトレー２０とシャッター６の内面との間には間隙が確保され、シャッター６はディスクトレー２０及びこれに装着されたディスク状記録媒体とは接触しない。
【００５２】
以上述べたように本実施形態によれば、光ディスク装置９３自体には何の改良や付加的な構成（例えばディスクトレー２０を動作させるイジェクトボタンの操作を電気的に検出する回路など）を加えることなく、単にディスクトレー２０の移動経路近傍に第１、第２のセンサ１１２、１１３を設ける簡単な構成にて、ディスクトレー２０の動作と、シャッター６の動作との連動を実現できる。また、その連動により、使用者が光ディスク装置９０を利用する際には、１つのボタン操作だけで済む。
【００５３】
また、第１、第２のセンサ１１２、１１３は非接触型センサであるフォトカプラを用いているので、ディスクトレー２０に接触せず、ディスクトレー２０の移動の妨げにならない。また、非接触型センサであっても磁気センサを用いる場合には、例えば凹所２１に電流検出素子を設け、さらにディスクトレー２０側に磁性体を取り付ける必要があり手間がかかるが、フォトカプラの場合にはこれを凹所２１に設けるだけでよくディスクトレー２０に何かを追加する必要がない。
【００５４】
そのフォトカプラは、ディスクトレー２０の側部に対向して設けられ、側部に対する反射光を検出するので、フォトカプラから出射された光がディスクトレー２０に装着されたディスク状記録媒体の記録面に照射されることを回避でき、ディスク状記録媒体の品質に影響を与えることがない。
【００５５】
なお、上述した押しボタン１１ではなく、例えば押しボタン１２を押すことで、ディスクトレー２０の動作に関係なく、シャッター６の上下動（開閉動作）を単独で行わせることができる。この押しボタン１２は、例えば、上記凹所２１に設けられたスロット２２〜２４に対する半導体メモリカードの挿脱を行う際に用いる。
【００５６】
なお、センサは１つあれば、ディスクトレー２０の開閉、すなわち凹所２１にディスクトレー２０が存在するかどうかを検出することは可能であるが、本実施形態では、第１のセンサ１１２をディスクトレー２０の引出口近傍に設けることでディスクトレー２０の開き始めを検出することができ、このディスクトレー２０が開き始めた動作に連動させて、シャッター６も開き始めの動作を行わせることができ、両者の開き始めのタイミングを合わせることができる。逆に、第２のセンサ１１３を、閉まり始めの段階でディスクトレー２０が通過する位置に設けることでディスクトレー２０の閉まり始めを検出することができ、このディスクトレー２０が閉まり始めた動作に連動させて、シャッター６も閉まり始めの動作を行わせることができ、両者の閉まり始めのタイミングを合わせることができる。
【００５７】
これにより、ディスクトレー２０とシャッター６のどちらか一方の動作が停止してから他方が動き出す場合に比べ、両者の連動性を使用者に強調でき、使用者はシャッター６の動きを視認することによってディスクトレー２０の動作を確認しやすくなる。例えば、ディスクトレー２０及びシャッター６が共に閉位置にあるときに、シャッター６が閉じたままの状態で先にディスクトレー２０が開いてしまうと、使用者はシャッター６に遮られてディスクトレー２０の引出しを視認できずに、もう一度ディスクトレー２０を動作させるための押しボタン１１を押してしまうおそれがある。そうすると、開位置にあるディスクトレー２０はその押しボタン１１の操作により今度は閉位置へと動作されることになってしまう。逆に両者が開位置にある状態で、先にシャッター６が閉まった後にディスクトレー２０が閉位置に移動される場合には、使用者はディスクトレー２０が確かに閉まったかどうかの視認が行えない。
【実施例】
【００５８】
次に、図１２、１３のフローチャートを参照して、シャッター６の制御方法のより具体的な実施例について説明する。
【００５９】
ステップＳ１にて電子機器１の電源が入れられると、ステップＳ２にてシャッター６の制御を行う制御部（筐体内の基板に実装）のポートが初期化される。すなわち、どのポートを入力モードにするのか、出力モードにするのかが設定される。次に、ステップＳ３にて、シャッター６の上下移動スピードを表す変数や、どのタイミングでスピードを変えるのかといった変数を初期化する。
【００６０】
次のステップＳ４におけるシャッター６が開いているかどうかの判断にて”Ｙｅｓ”とされると、ステップＳ５にて、図１３に示すフローで決定されるシャッター６の動作要求がセット（ステップＳ１９、ステップＳ１８、ステップＳ２３、ステップＳ２７、ステップＳ２９）される。
【００６１】
ステップＳ４にて”Ｎｏ”の場合には、次のステップＳ６に進む。ステップＳ６における動作要求があるかどうかの判断にて”Ｙｅｓ”とされると、ステップＳ５にてセットされた動作要求を実行する（ステップＳ７）。
【００６２】
ステップＳ６にて”Ｎｏ”の場合には、ステップＳ８に進む。ステップＳ８におけるシャッター６が動作中かどうかの判断にて”Ｙｅｓ”とされると、上記ステップＳ６に戻る。
【００６３】
ステップＳ８にて”Ｎｏ”の場合には、制御部はスリープ状態（省電力待機状態）とされる（ステップＳ９）。
【００６４】
次に、ステップＳ１０における変数が変わっているかどうかの判断にて”Ｙｅｓ”とされると、変数設定し（ステップＳ１１）、ステップＳ６に戻る。ステップＳ１０にて”Ｎｏ”の場合には、ステップＳ１１を経ずにステップＳ６に戻る。
【００６５】
上記ステップＳ６〜ステップＳ１１のフロー中は、図１３に示すステップＳ１２から始まる割込みの受付が可能となっている。
【００６６】
上記ステップＳ７における要求実行後にタイマーがスタートされ、このタイマーのスタートから所定時間ごとにステップＳ１３の判断が実行される。
【００６７】
タイマーによる割込みが入ってステップＳ１３にて”Ｙｅｓ”とされると、ステップＳ１４にて、シャッター６の移動スピードの切替時間かどうかの判断が実行される。
【００６８】
ステップＳ１４にて、シャッター６の移動スピードの切替時間であると判断されると、ステップＳ１５にてシャッター６のスピードの切替が行われる。例えば、途中から減速される。そして、ステップＳ３５にて割込みが終了となる。
【００６９】
ステップＳ１４にて”Ｎｏ”とされると、ステップＳ１６にてタイマーカウントが０かどうかの判断がなされる。例えば、シャッター６が閉位置への上昇移動中に手で押さえられるなどして所定時間経っても閉位置まで上がらなかった場合にはタイムアウトとなりステップＳ１７に進む。そうでない場合には割込は終了する（ステップＳ３５）。
【００７０】
ステップＳ１７にてシャッター６が閉める動作中であった場合にはステップＳ１８にて開ける動作要求がセットされる。ステップＳ１７にて”Ｎｏ”であった場合にはステップＳ１９にて、シャッター６の動作を停止させるストップ動作要求がセットされる。
【００７１】
上記ステップＳ１３にて”Ｎｏ”であった場合には、ステップＳ２０に進む、ステップＳ２０では、シャッター６を動作させる押しボタン（例えば上述した押しボタン１２）が押されたかどうかの判断がなされる。
【００７２】
上記押しボタン１２が押されると、ステップＳ２１にてシャッター６が開いているかどうかの判断がなされる。ここで”Ｎｏ”である場合にはステップＳ１８にて開ける動作要求がセットされる。”Ｙｅｓ”であった場合には、ステップＳ２２にてシャッター６が開ききっているかの判断がなされる。ここで、”Ｙｅｓ”であった場合にはステップＳ２３にて閉める動作要求がセットされ、”Ｎｏ”であった場合にはステップＳ１８にて開ける動作要求がセットされる。
【００７３】
上記ステップＳ２０にて”Ｎｏ”であった場合には、ステップＳ２４に進む。ステップＳ２４では、シャッター６の上下限位置を検出するスイッチの検出の有無が判断され、ステップＳ２５にてそれが検出されるとステップＳ２６にて、シャッター６が閉まる時間が１秒以下かどうかの判断がされる。
【００７４】
ステップＳ２６にて”Ｎｏ”である場合（下限検出）には、ステップＳ２７にてシャッター６の動作を停止させるストップ動作要求がセットされる。ステップＳ２６にて”Ｙｅｓ”である場合（上限検出）には、ステップＳ２８にて最速スピードがセットされ、ステップＳ２９にて開ける動作要求がセットされる。
【００７５】
ステップＳ２４にて”Ｎｏ”である場合には、上述した第１のセンサ１１２、第２のセンサ１１３の検出割込み（ステップＳ３０）に進む。
【００７６】
ディスクトレー２０が光ディスク装置９３の本体内に装填されている閉位置にある状態から引き出され、これが第１のセンサ１１２によって検出されると、ステップＳ３１にて”Ｙｅｓ”とされ、ステップＳ３２にて開ける動作要求がセットされる。
【００７７】
ステップＳ３１にて”Ｎｏ”の場合にはステップＳ３３に進み、ディスクトレー２０が凹所２１に引き出された開位置にある状態から上記閉位置へと移動し始め、これが第２のセンサ１１３によって検出されると、ステップＳ３３にて”Ｙｅｓ”とされ、ステップＳ３４にて閉める動作要求がセットされる。ステップＳ３３にて”Ｎｏ”の場合には割込みは終了する（ステップＳ３５）。
【００７８】
以上、本発明の実施形態について説明したが、勿論、本発明はこれに限定されることなく、本発明の技術的思想に基づいて種々の変形が可能である。
【００７９】
ディスクトレー２０の移動方向は左右方向に限らず上下方向であってもよい。シャッター６の移動方向も上下方向に限らず左右方向であってもよい。
【００８０】
また、ディスクトレー２０の開き始めを検出する第１のセンサ１１２と、閉じ始めを検出する第２のセンサ１１３以外にも、途中でシャッター６の移動速さを切り替えるタイミングを検出するためのセンサを設けてもよい。
【００８１】
上記実施形態では、電子機器をタワー型コンピュータの本体として説明したが、例えばハードディスクレコーダ、ＤＶＤ（Digital Versatile disc）装置、ゲーム機などであってもよい。
【図面の簡単な説明】
【００８２】
【図１】本発明の実施形態に係る電子機器の斜視図である。
【図２】同電子機器の正面図である。
【図３】同電子機器の上面図である。
【図４】同電子機器においてシャッターが開かれた状態の斜視図である。
【図５】同電子機器の内部筐体の斜視図である。
【図６】上記内部筐体に内蔵機器が取り付けられた状態の斜視図である。
【図７】上記電子機器においてシャッターが開かれた部分の斜視図である。
【図８】上記電子機器においてシャッターが閉じられた部分の斜視図である。
【図９】図８の状態からシャッターが開き始めた状態の斜視図である。
【図１０】図９の状態からさらにシャッターが開いた状態の斜視図である。
【図１１】シャッターが完全に開いた状態の斜視図である。
【図１２】本発明の実施例によるシャッターの動作制御の流れを示すフローチャート（その１）である。
【図１３】本発明の実施例によるシャッターの動作制御の流れを示すフローチャート（その２）である。
【符号の説明】
【００８３】
１…電子機器、２，３…外部筐体、２ｅ…開口、６…シャッター、２０…ディスクトレー、２１…凹所、９３…ディスク装置、９６…本体収容部、１１２，１１３…センサ、１４３…内部筐体。
【図１】
2005310263.tif 000003
【図２】
2005310263.tif 000004
【図３】
2005310263.tif 000005
【図４】
2005310263.tif 000006
【図５】
2005310263.tif 000007
【図６】
2005310263.tif 000008
【図７】
2005310263.tif 000009
【図８】
2005310263.tif 000010
【図９】
2005310263.tif 000011
【図１０】
2005310263.tif 000012
【図１１】
2005310263.tif 000013
【図１２】
2005310263.tif 000014
【図１３】
2005310263.tif 000015